(57)【要約】【課題】乗員保護性能を更に改善する。【解決手段】乗員保護装置１０は、自動車１に設けられたシート４の左右幅に対応する幅でシートに着座した乗員の肩部より上側から下へ向かって展開するシート幅展開部２６、およびシート幅展開部２６についての左側部および右側部のうちの少なくとも一方の端部に設けられたバッグ係合部２９、を有する上下エアバッグ２３と、自動車１に設けられてシート４に着座した乗員の腿部より下側においてバッグ係合部２９と係合する係合部材３１と、を有し、バッグ係合部２９が係合部材３１と係合した状態で、シート幅展開部２６がシート４の上でシート４の左右幅に対応する幅で展開する。【選択図】図５
2018161967.tif 000002
【特許請求の範囲】
【請求項１】
車両に設けられたシートの左右幅に対応する幅で前記シートに着座した乗員の肩部より上側から下へ向かって展開するシート幅展開部、および前記シート幅展開部についての左側部および右側部のうちの少なくとも一方の端部に設けられたバッグ係合部、を有する上下エアバッグと、
前記車両に設けられて前記シートに着座した乗員の腿部より下側において前記バッグ係合部と係合する係合部材と、
を有し、
前記バッグ係合部が前記係合部材と係合した状態で、前記シート幅展開部が前記シートの上で前記シートの左右幅に対応する幅で展開する、
乗員保護装置。
【請求項２】
前記シート幅展開部は、前記バッグ係合部が前記係合部材と係合した状態において前記シートに着座した乗員の腿部と接する、
請求項１記載の乗員保護装置。
【請求項３】
前記バッグ係合部は、前記シート幅展開部についての左側部および右側部の双方から下へ向かって突出する複数の突出部であり、
前記係合部材は、前記シートの左右両側において複数で設けられ、前記突出部が挿入される係合孔を有する、
請求項１または２記載の乗員保護装置。
【請求項４】
前記シート幅展開部は、前記シートに着座した乗員の腰部の前へ向かって展開する、
請求項１から３のいずれか一項記載の乗員保護装置。
【請求項５】
前記係合部材は、前記シートの座面より下側となる高さ位置に設けられ、前記シートの座面より下側において前記バッグ係合部と係合する、
請求項１から３のいずれか一項記載の乗員保護装置。
【請求項６】
前記係合部材は、前記バッグ係合部が前記係合部材と係合するように、前記シートに着座した乗員の肩部より上側から下へ向かって展開する前記上下エアバッグを案内する案内部、を有する、
請求項１から５のいずれか一項記載の乗員保護装置。
【請求項７】
前記上下エアバッグは、前記車両の天井から前記シートに着座した乗員の両肩部の前へ向かって展開する右肩前展開部および左肩前展開部、を有し、
前記シート幅展開部は、前記右肩展開部の下端および前記左肩展開部の下端に連結され、前記シートに着座した乗員の胸部の前に展開し、
前記右肩前展開部および前記左肩前展開部は、前記シート幅展開部より変形し易い状態に展開する、
請求項１から６のいずれか一項記載の乗員保護装置。
【請求項８】
前記上下エアバッグは、
前記シート幅展開部の上側であって前記右肩前展開部と前記左肩前展開部との間となる部分に、頭部受け展開部を有し、
前記頭部受け展開部は、前記シート幅展開部より変形し易い状態に展開する、
請求項７記載の乗員保護装置。
【発明の詳細な説明】
【技術分野】
【０００１】
本発明は、自動車においてシートに着座した乗員を保護する装置に関する。
【背景技術】
【０００２】
自動車においてシートに着座した乗員を保護する装置には、シートベルトやフロントエアバッグを用いるものがある（特許文献１）。
シートベルトは、一般的に三点式であり、シートに着座した乗員の腰周りのラップ部、および上体前にたすき掛けされるショルダ部を有する。そして、衝突前にリトラクタでシートベルトを巻き取って弛みを減らし、衝突時にシートベルトの送り出しを規制する。これにより、衝突時にシートから前へ移動しようとする乗員の身体をシートに着座した状態に保持するように作動できる。
フロントエアバッグは、乗員室においてシートの前に設けられるハンドルまたはダッシュボードに設けられ、シートへ向かって後向きに展開する。そして、衝突時に前へ倒れ込む乗員の上体を、展開したフロントエアバッグで支えて衝撃を吸収する。
【先行技術文献】
【特許文献】
【０００３】
【特許文献１】特開２０１０−２３５００９号公報
【発明の概要】
【発明が解決しようとする課題】
【０００４】
しかしながら、このような乗員保護装置を用いても、すべての衝突形態において適切に保護できる訳ではない。
たとえば前面衝突においても、衝突の衝撃によりシートに着座した乗員が前へ移動する可能性がある。そして、乗員の腰部がシートの着座位置から前へ滑って移動してしまうと、腰部を軸としてその周りで前へ倒れ込もうとする上体は、フロントエアバッグに近づいた状態から前へ倒れ込むことになる。この場合、フロントエアバッグと上体との接触状態は、腰部がシートの着座位置にある場合に想定していたものとは異なる。
また、車体におけるシートの前後の調整位置、シートに着座している乗員の体形、乗員の着座姿勢などによっても、衝突の際の乗員の挙動は変化する。
【０００５】
このように、乗員保護装置では、乗員保護性能についての更なる改善が求められている。
【課題を解決するための手段】
【０００６】
本発明に係る乗員保護装置は、車両に設けられたシートの左右幅に対応する幅で前記シートに着座した乗員の肩部より上側から下へ向かって展開するシート幅展開部、および前記シート幅展開部についての左側部および右側部のうちの少なくとも一方の端部に設けられたバッグ係合部、を有する上下エアバッグと、前記車両に設けられて前記シートに着座した乗員の腿部より下側において前記バッグ係合部と係合する係合部材と、を有し、前記バッグ係合部が前記係合部材と係合した状態で、前記シート幅展開部が前記シートの上で前記シートの左右幅に対応する幅で展開する。
【０００７】
好適には、前記シート幅展開部は、前記バッグ係合部が前記係合部材と係合した状態において前記シートに着座した乗員の腿部と接する、とよい。
【０００８】
好適には、前記バッグ係合部は、前記シート幅展開部についての左側部および右側部の双方から下へ向かって突出する複数の突出部であり、前記係合部材は、前記シートの左右両側において複数で設けられ、前記突出部が挿入される係合孔を有する、とよい。
【０００９】
好適には、前記シート幅展開部は、前記シートに着座した乗員の腰部の前へ向かって展開する、とよい。
【００１０】
好適には、前記係合部材は、前記シートの座面より下側となる高さ位置に設けられ、前記シートの座面より下側において前記バッグ係合部と係合する、とよい。
【００１１】
好適には、前記係合部材は、前記バッグ係合部が前記係合部材と係合するように、前記シートに着座した乗員の肩部より上側から下へ向かって展開する前記上下エアバッグを案内する案内部、を有する、とよい。
【００１２】
好適には、前記上下エアバッグは、前記車両の天井から前記シートに着座した乗員の両肩部の前へ向かって展開する右肩前展開部および左肩前展開部、を有し、前記シート幅展開部は、前記右肩展開部の下端および前記左肩展開部の下端に連結され、前記シートに着座した乗員の胸部の前に展開し、前記右肩前展開部および前記左肩前展開部は、前記シート幅展開部より変形し易い状態に展開する、とよい。
【００１３】
好適には、前記上下エアバッグは、前記シート幅展開部の上側であって前記右肩前展開部と前記左肩前展開部との間となる部分に、頭部受け展開部を有し、前記頭部受け展開部は、前記シート幅展開部より変形し易い状態に展開する、とよい。
【発明の効果】
【００１４】
本発明において乗員保護装置は、上下エアバッグと、係合部材とを有する。そして、上下エアバッグでは、シート幅展開部がシートの左右幅に対応する幅でシートに着座した乗員の肩部より上側から下へ向かって展開し、バッグ係合部がシート幅展開部についての左側部および右側部のうちの少なくとも一方の端部に設けられる。また、バッグ係合部は、車両に設けられてシートに着座した乗員の腿部より下側において係合部材と係合する。これにより、上下エアバッグのシート幅展開部は、シートに着座した乗員の上体の前に展開してこれを好適に支持することができる。
しかも、シートの左右幅に対応する幅で展開するシート幅展開部は、バッグ係合部が係合部材と係合した状態において、シートの上で、シートの左右幅に対応する幅で展開する。よって、シート幅展開部は、シートに着座した乗員のたとえば腿部を、シートの座面との間に挟んで押圧する。車体におけるシートの前後の調整位置、展開前におけるシート上の着座位置および姿勢、乗員の体形にかかわらず、シートに着座した状態に乗員を押さえることができる。
その結果、乗員の腰部は、上下エアバッグとシートとの間にたとえば腿部が挟まれることにより、衝突の際にシートの着座位置から前などへ移動し難くなる。そして、たとえば前面衝突の際に乗員の上体は着座位置に安定した腰部の周りで前側へ倒れることができ、衝突の際の乗員の上体の挙動は所望のものに近づく。そして、着座位置にある腰部の周りで前などへ倒れる上体、上下エアバッグにより支えて、衝撃を吸収することができる。
【００１５】
特に、バッグ係合部として、シート幅展開部についての左側部および右側部の双方から下へ向かって突出するように展開する複数の突出部を設け、シートの左右両側に設けられた複数の係合部材の係合孔とシートの左右両側において係合させる。これにより、シートに着座した乗員の左右両方のたとえば腿部の全体を、シート幅展開部とシートの座面との間に挟んで押さえることができる。その結果、乗員の腰部は、シートに着座した位置から前などへすべって移動し難くなる。
【図面の簡単な説明】
【００１６】
【図１】図１は、本発明の実施形態に係る乗員保護装置が適用可能な自動車の説明図である。
【図２】図２は、フルラップ正面衝突における乗員の挙動の一例の説明図である。
【図３】図３は、乗員の腰部がシートの着座位置にあるままで上体が倒れ込んだ状態の一例の説明図である。
【図４】図４は、第１実施形態に係る乗員保護装置の説明図である。
【図５】図５は、図４の上下エアバッグが展開した状態を説明する前面図である。
【図６】図６は、図４の上下エアバッグが展開した状態を説明する側面図および上面図である。
【図７】図７は、図４の上下エアバッグの展開経過の説明図である。
【図８】図８は、第２実施形態に係る乗員保護装置の説明図である。
【発明を実施するための形態】
【００１７】
以下、本発明の実施形態を、図面に基づいて説明する。
【００１８】
［第１実施形態］
図１は、本発明の実施形態に係る乗員保護装置１０が適用可能な自動車１の説明図である。
【００１９】
自動車１は、車両の一例である。自動車１は、乗員室２が形成された車体３を有する。乗員室２には、乗員室２において前向きに設けられて乗員が着座する２つのフロントシート４、リアシート４が設けられる。乗員室２についての左右両側には、乗員が乗降するために開閉されるドア５が設けられる。フロントシート４の前には、乗員室２の左右幅に対応する長さのダッシュボード６が設けられる。２つのフロントシート４の間には、センターコンソール７が設けられる。
【００２０】
ところで、このような自動車１では、他の自動車などと衝突した際に、シート４に着座した乗員を保護する装置が設けられる。
図１には、シートベルト１９、フロントエアバッグ１６が図示されている。
シートベルト１９は、一般的に三点式である。三点式のシートベルト１９は、シート４に着座した乗員の腰周りのラップ部、および上体前にたすき掛けされるショルダ部を有する。そして、衝突前に図示外のリトラクタでシートベルト１９を巻き取ってたるみを減らし、さらに衝突時にシートベルト１９の送り出しを規制する。これにより、衝突時にシート４から前へ移動しようとする乗員の身体をシート４に着座した状態に保持するように作動できる。
フロントエアバッグ１６は、乗員室２においてシート４の前に設けられるハンドルまたはダッシュボード６に設けられ、シート４へ向かって後向きに展開する。そして、衝突時に前へ倒れ込む乗員の上体を、展開したフロントエアバッグ１６で支えて衝撃を吸収できる。
しかしながら、このような乗員保護装置１０を用いても、すべての衝突形態において乗員を適切に保護できる訳ではない。たとえば正面衝突であっても、少なくともフルラップ衝突、オフセット衝突、オブリーク衝突の衝突形態がある。そして、衝突の形態が違えば、衝突の際の車体３および乗員の身体に作用する衝撃力の大きさや向きが異なり、車体３や乗員の挙動も異なる。
【００２１】
たとえば図２は、フルラップ正面衝突における乗員の挙動の一例の説明図である。
乗員がシート４に着座した状態で正面衝突が起きると、図２（Ａ）に示すように、衝突の衝撃によりシート４に着座した乗員には相対的に前へ移動しようとする力が作用する。
この際に乗員がシートベルト１９により押さえられていないとすると、図２（Ｂ）に示すように、乗員の腰部はシート４の着座位置から前へ滑って移動する。
そして、乗員の腰部はたとえば膝頭がダッシュボード６に当たった状態で止まり、乗員の上体は、図２（Ｃ）に示すように、その位置の腰部を軸としてその周りで前へ倒れ込むことになる。
【００２２】
これに対し、図３は、乗員の腰部がシート４の着座位置にあるままで乗員の上体が倒れ込んだ状態の一例の説明図である。
図２（Ｃ）でのフロントエアバッグ１６に対する上体の接触状態は、図３と比較すれば明らかなように腰部が着座位置にある場合において想定したものとは異なる。乗員の上体は、フロントエアバッグ１６に近づいた位置において前へ倒れ込む。展開したフロントエアバッグ１６と上体との接触状態は、腰部がシート４の着座位置にあると想定した場合のものとは異なる。この場合、展開したフロントエアバッグ１６により、適切に倒れ込んだ上体を支持して衝撃を吸収することができない可能性がある。
また、上体は腰部の移動が止まった後に短時間で急に前へ倒れることになる。
【００２３】
また、車体３におけるシート４の前後の調整位置、シート４に着座している乗員の体形、乗員の着座姿勢などによっても、衝突の際の乗員の挙動は変化する。
【００２４】
このように、乗員保護装置１０では、乗員保護性能を更に改善することが求められている。
【００２５】
図４は、第１実施形態に係る乗員保護装置１０の説明図である。
【００２６】
図４には、乗員保護装置１０とともに、自動運転制御装置４０が図示されている。自動運転制御装置４０は、車外撮像センサ４１、自動運転制御部４２、操舵アクチュエータ４３、ブレーキアクチュエータ４４、動力源４５、を有する。
車外撮像センサ４１は、たとえば車体３の前方を撮像する。これにより、たとえば走行中の車体３に対して前から近づく他の車体を画像として撮像することができる。
操舵アクチュエータ４３は、ハンドルの替わりに、自動車１の操舵装置を駆動する。
ブレーキアクチュエータ４４は、ブレーキペダルの替わりに、自動車１の制動装置を駆動する。
動力源４５は、たとえばガソリンエンジン、電気モータである。
自動運転制御部４２は、自動車１の走行を自動制御する。自動運転制御部４２は、たとえば目的地までの走行経路情報にしたがって、操舵アクチュエータ４３、ブレーキアクチュエータ４４、および動力源４５を制御する。また、自動運転制御部４２は、車外撮像センサ４１の画像に基づいて接近物を特定し、接近物との衝突を予想する。そして、接近物との衝突を予想した場合には、自動運転制御部４２は、その衝突を回避するように操舵アクチュエータ４３、ブレーキアクチュエータ４４、および動力源４５を制御する。
【００２７】
図４の乗員保護装置１０は、乗員位置センサ１１、Ｇセンサ１２、タイマ１３、乗員保護制御部１４、フロントエアバッグ装置１５、三点式シートベルト装置１８、上下エアバッグ装置２０、を有する。
【００２８】
乗員位置センサ１１は、シート４に着座した乗員の頭部の位置または上体の位置を検出する。たとえば乗員位置センサ１１は、シート４に背を付けた着座位置を基準として、前方への移動量または左右方向への移動量を検出する。
【００２９】
Ｇセンサ１２は、自動車１に作用する加速度を検出する。検出する加速度の方向は、前後方向、左右方向、上下方向でよい。
【００３０】
タイマ１３は、時刻または時間を計測する。
【００３１】
フロントエアバッグ装置１５は、シート４に着座した乗員の前に設けられる。フロントエアバッグ装置１５は、たとえばダッシュボード６、ハンドルに設けられる。フロントエアバッグ装置１５は、フロントエアバッグ１６、インフレータ１７、を有する。点火信号が入力されることにより、インフレータ１７は、フロントエアバッグ１６内へガスを放出する。これにより、フロントエアバッグ１６は、シート４に着座した乗員へ向けて後方へ展開する。乗員の上体の前にフロントエアバッグ１６が展開される。
【００３２】
三点式シートベルト装置１８は、シートベルト１９を有する。シートベルト１９は、図示外のタングがバックルと係合することにより、シート４に着座した乗員についての腰部の周りに対して設けられるラップ部と、上体についての一方の肩部から腰部の内側部分にかけてたすき掛けされるショルダ部と、を形成する。そして、プリテンション信号や支持信号が入力されることにより、図示外のリトラクタは、シートベルト１９を巻き取る。たとえば、衝突前にシートベルト１９を巻き取って弛みを減らし、衝突時にシートベルト１９の送り出しを規制する。これにより、衝突時にシート４から前へ移動しようとする乗員の身体をシート４に着座した状態に保持することができる。
【００３３】
乗員保護制御部１４には、車外撮像センサ４１、自動運転制御部４２、乗員位置センサ１１、Ｇセンサ１２、タイマ１３、フロントエアバッグ装置１５、三点式シートベルト装置１８、上下エアバッグ装置２０、が接続される。
乗員保護制御部１４は、センサの情報から衝突の可能性を判断する。そして、衝突の可能性がある場合、乗員保護制御部１４は、プリクラッシュ制御を実行する。プリクラッシュ制御では、乗員保護制御部１４は、たとえばシートベルト１９を巻き取るプリテンション制御を実行する。
また、乗員保護制御部１４は、センサの情報から衝突を検出すると、乗員保護制御を実行する。乗員保護制御では、乗員保護制御部１４は、シートベルト１９の送り出しを規制し、フロントエアバッグ１６を展開させる。
【００３４】
図５は、図４の上下エアバッグ２３が展開した状態を説明する前面図である。
図６は、図４の上下エアバッグ２３が展開した状態を説明する側面図および上面図である。
上下エアバッグ装置２０は、インフレータ２１が配置される本体２２、インフレータ２１の発生ガスにより本体２２から展開する上下エアバッグ２３、係合部材３１、を有する。
【００３５】
本体２２は、自動車１の天井においてシート４より後側となる位置に配置される。本体２２は、シート４の左右幅に対応する幅で設けられてよい。
【００３６】
上下エアバッグ２３は、自動車１の天井に設けられた本体２２から前下へ向かって展開する。上下エアバッグ２３は、シート４に着座した乗員の肩部より上側から下へ向かって乗員の腰部の前に達する長さで展開する。
上下エアバッグ２３は、図６に示すように、右肩前展開部２４、左肩前展開部２５、シート幅展開部としての胸前展開部２６、および頭部受け展開部２８、を有する。
右肩前展開部２４は、シート４の右端部分の上方において、自動車１の天井に設けられた本体２２から下へ向かって、シート４に着座した乗員の右肩部の高さまで展開する部分である。右肩前展開部２４は、シート４に着座した乗員の右肩部の前に展開する。
左肩前展開部２５は、シート４の左端部分の上方において、自動車１の天井に設けられた本体２２から下へ向かって、シート４に着座した乗員の肩部の高さまで展開する部分である。左肩前展開部２５は、シート４に着座した乗員の左肩部の前に展開する。
胸前展開部２６は、右肩前展開部２４の下端および左肩前展開部２５の下端に連結され、シート４の左右幅に対応する幅で、シート４に着座した乗員の胸部の前に展開する部分である。胸前展開部２６は、展開方向の下縁が、シート４の座面より下側に達する高さを有する。上下エアバッグ２３の上下方向の展開長さは、自動車１の天井からシート４の座面までの高さより長く形成される。
頭部受け展開部２８は、胸前展開部２６の上側であって右肩前展開部２４と左肩前展開部２５との間となる部分に展開する部分である。頭部受け展開部２８は、乗員の顎部に対応する凹曲形状を有する。
そして、右肩前展開部２４および左肩前展開部２５は、胸前展開部２６より変形し易い状態に展開する。右肩前展開部２４および左肩前展開部２５より変形し易い状態に展開する。たとえば展開圧力を低くしたり、展開袋体を伸縮性が高い材料としたりすることにより、展開部は変形し易くなる。なお、右肩前展開部２４、左肩前展開部２５、胸前展開部２６、および頭部受け展開部２８は、互いに連通した一つの気室として構成されてよい。この場合でも展開部の間に圧力開閉弁などを設けることにより、各部を異なる圧力で展開させることができる。
【００３７】
また、上下エアバッグ２３には、左右一対のバッグ係合部２９が設けられる。左右一対のバッグ係合部２９は、シート４の左右幅に対応する幅で形成された胸前展開部２６の左側部および右側部の双方に設けられる。
バッグ係合部２９は、胸前展開部２６の下縁より下へ突出する。
なお、バッグ係合部２９は、上下エアバッグ２３の他の部分と同様に展開する部分として形成されてよい。
【００３８】
係合部材３１は、シート４の左右両側において複数で設けられる。複数の係合部材３１は、シート４の座部とドア５との間と、シート４の座部とセンターコンソール７との間とに設けられる。
係合部材３１は、シート４の座面より下側となる高さ位置に設けられる。
そして、係合部材３１の上面には、バッグ係合部２９が挿入される係合孔３２が形成される。
【００３９】
図７は、図４の上下エアバッグ２３の展開経過の説明図である。
【００４０】
図７（Ａ）の衝突前では、乗員保護制御部１４は、衝突の可能性を判断する。そして、衝突の可能性がある場合、乗員保護制御部１４は、上下エアバッグ装置２０を展開させる。
上下エアバッグ２３は、図７（Ｂ）に示すように、自動車１のシート４に着座した乗員の肩部より上に位置する自動車１の天井から、前下へ向かって展開を開始する。上下エアバッグ２３の胸前展開部２６は、シート４に着座した乗員の上体の前において腰部へ向かって展開する。
そして、図７（Ｃ）に示すように、胸前展開部２６の下縁より下へ突出する左右一対のバッグ係合部２９は、シート４の左右に設けられた一対の係合孔３２に入る。これにより、左右一対のバッグ係合部２９は、シート４の座面より下側において左右一対の係合孔３２と係合する。シート４に着座した乗員の腿部より下側において互いに係合する。胸前展開部２６の下端部がシート４に着座した乗員の左右両側の大腿部に向かって突き当たるように接触する。腰部またはその近傍の前に向かって突き当たる。これにより、シート４に着座した乗員の腰部は、衝突前にシート４の着座位置に押さえられる。
また、シート４の左右幅に対応する幅で展開する胸前展開部２６は、バッグ係合部２９と係合部材３１とが係合した状態において乗員の腿部の上面に上から接する。
その後、実際に衝突が生じると、シート４に着座した乗員の上体は、腰部がシート４の着座位置に押さえられた状態で前へ倒れる。上体は、上下エアバッグ２３へ倒れ込む。
なお、上下エアバッグ２３の展開タイミングは、実際の衝突を検出したタイミングであってもよい。この場合でも、上下エアバッグ２３は、衝突の際に、シート４に着座した乗員の腰部が前などへ滑らないように押さえ、しかも衝突の衝撃により倒れる上体を支持することができる。
【００４１】
以上のように、本実施形態において乗員保護装置１０は、上下エアバッグ２３と、係合部材３１とを有する。そして、上下エアバッグ２３では、胸前展開部２６がシート４の左右幅に対応する幅でシート４に着座した乗員の肩部より上側から下へ向かって展開し、バッグ係合部２９が胸前展開部２６についての左側部および右側部のうちの少なくとも一方の端部に設けられる。また、バッグ係合部２９は、自動車１においてシート４に着座した乗員の腿部より下側となる高さ位置に設けられて腿部より下側において係合部材３１と係合する。これにより、上下エアバッグ２３の胸前展開部２６は、シート４に着座した乗員の上体の前に展開してこれを好適に支持することができる。
しかも、シート４の左右幅に対応する幅で展開する胸前展開部２６は、バッグ係合部２９が係合部材３１と係合した状態において乗員の腿部と接する。よって、シート４に着座した乗員の腿部は、胸前展開部２６とシート４の座面との間に挟んで押圧される。車体３におけるシート４の前後の調整位置、展開前におけるシート４上の着座位置および姿勢、乗員の体形にかかわらず、シート４に着座した状態に乗員を押さえることができる。
その結果、乗員の腰部は、上下エアバッグ２３とシート４との間に腿部が挟まれることにより、衝突の際にシート４の着座位置から前などへ移動し難くなる。そして、たとえば前面衝突の際に乗員の上体は着座位置に安定した腰部の周りで前側へ倒れることができ、衝突の際の乗員の上体の挙動は所望のものに近づく。そして、着座位置にある腰部の周りで前などへ倒れる上体、上下エアバッグ２３により支えて、衝撃を吸収することができる。
【００４２】
特に、バッグ係合部２９として、胸前展開部２６についての左側部および右側部の双方から下へ向かって突出するように展開する複数の突出部を設け、シート４の左右両側に設けられた複数の係合部材３１の係合孔３２とシート４の左右両側において係合させる。これにより、シート４に着座した乗員の左右両方の腿部の全体を、胸前展開部２６とシート４の座面との間に挟んで押さえることができる。その結果、乗員の腰部は、シート４に着座した位置から前などへすべって移動し難くなる。
【００４３】
上記実施形態では、バッグ係合部２９は、胸前展開部２６についての左側部または右側部から下へ向かって突出するように展開する突出部であり、係合部材３１の係合孔３２と係合させている。この他にもたとえば、バッグ係合部２９および係合部材３１は、ベルクロテープ（登録商標）により構成されてもよい。また、バッグ係合部２９と係合部材３１とが瞬間的に溶着するようにしてもよい。
【００４４】
本実施形態では、胸前展開部２６は、シート４に着座した乗員の腰部の前へ向かって展開する。よって、シート４に着座した乗員の腰部は、着座していた位置から前などへ滑って移動し難くなる。
【００４５】
本実施形態では、係合部材３１は、シート４の座面より下側となる高さ位置に設けられる。そして、係合部材３１とバッグ係合部２９とは、シート４の座面より下側において係合する。よって、胸前展開部２６とシート４の座面との間に、シート４に着座した乗員の左右両方の腿部を挟むことができる。
【００４６】
本実施形態では、右肩前展開部２４および左肩前展開部２５は、胸前展開部２６より変形し易い状態に展開する。よって、胸前展開部２６において上体の衝撃を吸収する状況において右肩前展開部２４および左肩前展開部２５が変形することができる。その結果、衝撃吸収中の胸前展開部２６の変形を抑制でき、胸前展開部２６が変形することによって上体に対して湾曲させる力が作用し難くなる。
【００４７】
本実施形態では、胸前展開部２６の上側に、胸前展開部２６より変形し易い状態に展開する頭部受け展開部２８が設けられる。よって、乗員の頭部の衝撃を、頭部受け展開部２８により吸収することができる。
【００４８】
［第２実施形態］
次に、本発明の第２実施形態に係る乗員保護装置１０について説明する。
以下の説明では、第１実施形態と同様の構成については第１実施形態と同じ符号を使用し、主に第１実施形態との相違点について説明する。
【００４９】
図８は、第２実施形態に係る乗員保護装置１０の説明図である。図８（Ａ）は展開途中の状態、図８（Ｂ）は展開した状態を示している。
図８において、係合部材３１には、係合孔３２の周囲となる上面に、テーパ状の案内面３３が形成されている。
そして、上から下へ展開する上下エアバッグ２３のバッグ係合部２９は、展開途中においてテーパ状の案内面３３に当たり、さらに下へ展開することにより係合孔３２へ導かれ、係合孔３２と係合できる。
【００５０】
以上のように、上下エアバッグ２３のバッグ係合部２９は、上下エアバッグ２３の展開方向が微妙にたとえば前後に傾いたとしても、展開途中においてテーパ状の案内面３３により案内されて、係合部材３１と係合することができる。たとえばシート４に着座した乗員の体形に推されて上下エアバッグ２３の展開方向が微妙に前へずれたとしても、係合部材３１と係合することができる。
【００５１】
以上の実施形態は、本発明の好適な実施形態の例であるが、本発明は、これに限定されるものではなく、発明の要旨を逸脱しない範囲において種々の変形または変更が可能である。
【符号の説明】
【００５２】
１…自動車（車両）、２…乗員室、３…車体、４…シート、５…ドア、６…ダッシュボード、７…センターコンソール、１０…乗員保護装置、１１…乗員位置センサ、１２…Ｇセンサ、１３…タイマ、１４…乗員保護制御部、１５…フロントエアバッグ装置、１６…フロントエアバッグ、１７…インフレータ、１８…三点式シートベルト装置、１９…シートベルト、２０…上下エアバッグ装置、２１…インフレータ、２２…本体、２３…上下エアバッグ、２４…右肩前展開部、２５…左肩前展開部、２６…胸前展開部（シート幅展開部）、２８…頭部受け展開部、２９…バッグ係合部、３１…係合部材、３２…係合孔、３３…案内面、４０…自動運転制御装置、４１…車外撮像センサ、４２…自動運転制御部、４３…操舵アクチュエータ、４４…ブレーキアクチュエータ、４５…動力源。
【図１】
2018161967.tif 000003
【図２】
2018161967.tif 000004
【図３】
2018161967.tif 000005
【図４】
2018161967.tif 000006
【図５】
2018161967.tif 000007
【図６】
2018161967.tif 000008
【図７】
2018161967.tif 000009
【図８】
2018161967.tif 000010